【手続補正書】
【提出日】平成15年9月4日(2003.9.4)
【手続補正１】
【補正対象書類名】明細書
【補正対象項目名】特許請求の範囲
【補正方法】変更
【補正の内容】
【特許請求の範囲】
【請求項１】
主記憶及び表示装置を備えた動画像を記録する画像記録再生装置に装着される画像取り込み装置において、
デジタル化された動画像を入力し、該入力した動画像を圧縮動画像に圧縮する動画圧縮部と、
前記デジタル化された動画像を前記主記憶及び前記表示装置へ転送すると共に、前記動画圧縮部から出力される圧縮動画像を前記主記憶に転送する動画入力インターフェース部とを備えてなる画像取り込み装置。
【請求項２】
請求項１に記載の画像取り込み装置において、
アナログ信号の動画像を入力し、該入力された動画像をデジタル化するビデオデコーダを有することを特徴とする画像取り込み装置。
【請求項３】
請求項２に記載の画像取り込み装置において、
前記動画入力インターフェース部は、前記デジタル化された動画像に比べ前記圧縮動画像を優先的に転送することを特徴とする画像取り込み装置。
【請求項４】
請求項３に記載の画像取り込み装置において、
前記動画入力インターフェース部は、前記デジタル化された動画像をインターレース信号における２つのフィールド信号に分離し、該分離された２つのフィールド信号を前記主記憶及び前記表示装置へ別々に転送することを特徴とする画像取り込み装置。
【請求項５】
請求項４に記載の画像取り込み装置において、
前記動画入力インターフェース部は、前記２つのフィールド信号を異なる解像度または色フォーマットで転送する機能を有することを特徴とする画像取り込み装置。
【請求項６】
請求項５に記載の画像取り込み装置において、
前記ビデオデコーダでデジタル化された動画像を前記動画入力インターフェースを介して入力され、該入力された動画像の少なくとも一画面分のデータを保持するフレームメモリと、
前記ビデオデコーダでデジタル化された動画像を圧縮する画像圧縮部とを有し、
前記動画入力インターフェース部は、前記ビデオデコーダから出力されるデジタル化された動画像を構成する奇数フィールドと偶数フィールドを時系列的に入力し、前記フレームメモリへ出力するビデオ信号入出力部と、前記フレームメモリから奇数フィールドと偶数フィールドのデータを順次取り出し、所定の大きさにスケーリングするスケーリング部と、前記スケーリング部から出力されたスケーリングされた動画像のデータを所定の色フォーマットに変換する色変換部と、前記色変換部により色変換された動画像のデータと前記動画圧縮部により圧縮された動画像データとを該圧縮された動画像のデータを優先してＤＭＡ転送するＤＭＡ転送制御部と、前記主記憶が接続されるバスと前記ＤＭＡ転送制御部との間でデータ転送を行うバス入出力部とを有することを特徴とする画像取り込み装置。
【請求項７】
主記憶と、表示装置と、デジタル化された動画像を圧縮動画像に圧縮する動画圧縮部と、前記デジタル化された動画像を前記主記憶及び前記表示装置へ転送すると共に、前記動画圧縮部から出力される圧縮動画像とを前記主記憶に転送する動画入力インターフェース部とを有する画像取り込み装置とを備え、
前記動画入力インターフェース部は、前記デジタル化された動画像をインターレース信号における２つのフィールド信号に分離し、一方のフィールド信号を前記主記憶に転送し、他方のフィールド信号を前記表示装置に転送と共に、前記圧縮動画像を前記主記憶に転送し、
前記表示装置は、前記動画入力インターフェース部から転送されたフィールド信号により動画を表示し、
前記主記憶は、前記表示装置が動画を表示するのと共に前記動画入力インターフェース部から転送されたフィールド信号を記憶することを特徴とする画像記録再生装置。
【請求項８】
請求項７に記載の画像記憶再生装置において、
前記画像取り込み装置は、アナログ信号の動画像を入力し、該入力された動画像をデジタル化するビデオデコーダを有することを特徴とする画像記憶再生装置。
【請求項９】
請求項８に記載の画像記憶再生装置において、
前記動画入力インターフェース部は、前記２つのフィールド信号を異なる解像度または色フォーマットで転送することを特徴とする画像記録再生装置。
【請求項１０】
請求項９に記載の画像記憶再生装置において、
前記動画入力インターフェース部は、前記デジタル化された動画像に比べ前記圧縮動画像を優先的に転送することを特徴とする画像記録再生装置。
【請求項１１】
請求項１０に記載の画像記憶再生装置において、
前記ビデオデコーダでデジタル化された動画像を前記動画入力インターフェースを介して入力され、該入力された動画像の少なくとも一画面分のデータを保持するフレームメモリと、
前記ビデオデコーダでデジタル化された動画像を圧縮する画像圧縮部とを有し、
前記動画入力インターフェース部は、前記ビデオデコーダから出力されるデジタル化された動画像を構成する奇数フィールドと偶数フィールドを時系列的に入力し、前記フレームメモリへ出力するビデオ信号入出力部と、前記フレームメモリから奇数フィールドと偶数フィールドのデータを順次取り出し、所定の大きさにスケーリングするスケーリング部と、前記スケーリング部から出力されたスケーリングされた動画像のデータを所定の色フォーマットに変換する色変換部と、前記色変換部により色変換された動画像のデータと前記動画圧縮部により圧縮された動画像データとを該圧縮された動画像のデータを優先してＤＭＡ転送するＤＭＡ転送制御部と、前記主記憶が接続されるバスと前記ＤＭＡ転送制御部との間でデータ転送を行うバス入出力部とを有することを特徴とする画像記録再生装置。
【請求項１２】
請求項１０に記載の画像記憶再生装置において、
前記ビデオデコーダによりデジタル化された動画像のデータを前記動画入力インターフェース部を介して入力され、該入力された非圧縮動画像を解析し該解析の結果、前記入力された動画像にシーンの変化があった場合には、前記非圧縮画像にシーンの変化のあった時刻動画取り込み開始時点からの時刻を取得し、一方前記動画圧縮部により圧縮された動画のデータから前記非圧縮画像から取得したシーンの変化した時刻に対応する動画像のデータを特定し、該特定された動画像のデータとシーンが変化した時点での前記非圧縮画像との対応関係を示す情報を生成する対応情報生成手段とを有することを特徴とする画像記憶再生装置。
【請求項１３】
主記憶及びまたは表示装置を備えた動画像を記録する画像記録再生装置において、
アナログの動画像を入力するための画像入力装置と、
アナログの動画像を表示するための画像出力装置と、
前記画像入力装置から入力された動画像をデジタル化し、さらに、前記主記憶に格納されているデータあるいは前記表示装置に表示されているデータをアナログ化するビデオデコーダエンコーダと、
前記デジタル化された動画像を圧縮動画像に圧縮し、さらに、圧縮されている動画像を伸長する動画圧縮伸長部と、
前記デジタル化された動画像と前記圧縮動画像とを前記主記憶及びまたは前記表示装置に同時に転送し、さらに、前記主記憶に格納されているデータあるいは前記表示装置に表示されているデータを取り込む動画入力インターフェースとを備え、
前記取り込まれたデータが圧縮動画像ならば、前記動画圧縮伸長部で伸長した後、前記ビデオデコーダエンコーダでアナログ化して前記画像出力装置で表示し、前記取り込まれたデータが非圧縮動画像ならば、前記ビデオデコーダエンコーダでアナログ化して前記画像出力装置で表示する機能を有することを特徴とする画像記録再生装置。
【請求項１４】
メモリに接続されるバスに接続可能で、前記バスへデータ転送可能な画像取り込み装置において、
複数のフレームを含むビデオ信号を、外部装置から受ける入力装置と、
前記ビデオ信号の一部を前記主記憶装置に記憶させるために、第１のカラーフォーマットで前記ビデオ信号の一部を前記バスへ出力すると共に、前記ビデオ信号の他部を前記表示装置に表示させるために、前記第１のカラーフォーマットと異なる第２のカラーフォーマットで前記ビデオ信号の他部を前記バスへ出力する制御装置とを備えた画像取り込み装置。
【請求項１５】
前記第１のカラーフォーマットは、YUV形式を含み、
前記第２のカラーフォーマットは、RGB形式を含む請求項１４に記載の画像取り込み装置。
【請求項１６】
前記ビデオ信号の一部は、前記ビデオ信号のインターレース信号における奇数フィールドデータと偶数フィールドデータとのうちの一方を含み、
前記ビデオ信号の他部は、前記奇数フィールドデータと前記偶数フィールドデータとのうちの他方を含む請求項１４に記載の画像取り込み装置。
【請求項１７】
前記ビデオ信号の一部と前記ビデオ信号の他部とを独立にスケーリングするスケーリング部を備えた請求項１４に記載の画像取り込み装置。
【請求項１８】
前記制御装置は、前記ビデオ信号の一部及び前記ビデオ信号の他部をDMA転送する請求項１４に記載の画像取り込み装置。
【請求項１９】
前記ビデオ信号の一部は、圧縮されたビデオ信号を含み、
前記ビデオ信号の他部は、非圧縮のビデオ信号を含む請求項１４に記載の画像取り込み装置。
【請求項２０】
前記ビデオ信号の一部は、MPEG形式で圧縮されたビデオ信号を含む請求項１４に記載の画像取り込み装置。